(57)【要約】      （修正有）【課題】端末作業者を識別して、これに対応してネットワークを介して複数の端末のすべてに対して端末のプログラムをリアルタイムで最適な設定状況に自動変更する。【解決手段】複数の作業者用端末２１のうちのいずれかで端末作業者により自分の作業者識別コード１１が入力され、作業者識別コード１１が作業者用端末２１の担当している作業の作業識別コードとともに作業者用端末２１からネットワー１経由で情報管理コンピュータ２に送られると、情報管理コンピュータ２は、予め保持している内部のデータベース３，４，５から作業者識別コード１１に対応する端末作業者に関する固有情報と、作業識別コード１１に対応する生産に関する情報及び品質に関する情報を取得し、取得された各情報に基づいて最適な作業者用端末２１におけるプログラム設定を決定し、作業者用端末２１のプログラムに対して、設定情報１２送信しプログラム設定を指示する。【選択図】図１
2006285625.tif 000002
【特許請求の範囲】
【請求項１】
複数の作業者用端末と、
前記複数の作業者用端末を管理する情報管理コンピュータと、
前記複数の作業者用端末と前記情報管理コンピュータとの間で情報の通信が可能に接続するネットワークとを有し、
前記複数の作業者用端末に対する情報の設定をする端末情報設定システムであって、
前記複数の作業者用端末のうちのいずれかの作業者用端末で端末作業者により自分の作業者識別コードが入力され、
前記作業者識別コードが前記作業者用端末の担当している作業の作業識別コードとともに前記作業者用端末からネットワーク経由で前記情報管理コンピュータに送られてきた時点で、
前記情報管理コンピュータは、予め保持している内部のデータベースから前記作業者識別コードに対応する前記端末作業者に関する固有情報と、前記作業識別コードに対応する生産に関する情報及び品質に関する情報を取得し、
取得された各情報に基づいて最適な前記作業者用端末におけるプログラム設定を決定し、
前記作業者用端末のプログラムに対してプログラム設定を指示することを特徴とする端末情報設定システム。
【請求項２】
請求項１に記載の端末情報設定システムにおいて、
前記端末作業者に関する固有情報を蓄積し、前記端末作業者の作業者識別コードをキーとして、その作業者情報を前記情報管理コンピュータに提供するための作業者固有情報データベースを備えたことを特徴とする端末情報設定システム。
【請求項３】
請求項１に記載の端末情報設定システムにおいて、
生産に関する情報を蓄積し、前記端末作業者の作業識別コードをキーとして、その生産情報を前記情報管理コンピュータに提供するための生産情報データベースを備えたことを特徴とする端末情報設定システム。
【請求項４】
請求項１に記載の端末情報設定システムにおいて、
品質に関する情報を蓄積し、前記端末作業者の作業識別コードをキーとして、その生産情報を前記情報管理コンピュータに提供するための品質情報データベースを備えたことを特徴とする端末情報設定システム。
【請求項５】
複数の作業者用端末と前記複数の作業者用端末を管理する情報管理コンピュータとの間でネットワークを介して情報の通信が行われる際に、前記複数の作業者用端末に対する情報の設定をする端末情報設定方法であって、
前記複数の作業者用端末のうちのいずれかの作業者用端末で端末作業者により自分の作業者識別コードが入力され、
前記作業者識別コードが前記作業者用端末の担当している作業の作業識別コードとともに前記作業者用端末からネットワーク経由で前記情報管理コンピュータに送られてきた時点で、
前記情報管理コンピュータは、予め保持している内部のデータベースから前記作業者識別コードに対応する前記端末作業者に関する固有情報と、前記作業識別コードに対応する生産に関する情報及び品質に関する情報を取得し、
取得された各情報に基づいて最適な前記作業者用端末におけるプログラム設定を決定し、
前記作業者用端末のプログラムに対してプログラム設定を指示することを特徴とする端末情報設定方法。
【請求項６】
複数の作業者用端末と前記複数の作業者用端末を管理する情報管理コンピュータとの間でネットワークを介して情報の通信が行われる際に、前記複数の作業者用端末に対する情報の設定をする機能を有する端末情報設定プログラムであって、
前記複数の作業者用端末のうちのいずれかの作業者用端末で端末作業者により自分の作業者識別コードが入力され、
前記作業者識別コードが前記作業者用端末の担当している作業の作業識別コードとともに前記作業者用端末からネットワーク経由で前記情報管理コンピュータに送られてきた時点で、
前記情報管理コンピュータを、予め保持している内部のデータベースから前記作業者識別コードに対応する前記端末作業者に関する固有情報と、前記作業識別コードに対応する生産に関する情報及び品質に関する情報を取得するように機能させ、
取得された各情報に基づいて最適な前記作業者用端末におけるプログラム設定を決定するように機能させ、
前記作業者用端末のプログラムに対してプログラム設定を指示するように機能させる
ことを特徴とする端末情報設定プログラム。
【発明の詳細な説明】
【技術分野】
【０００１】
本発明は、例えば、ネットワークを介して端末に対する情報の設定をする端末情報設定システム、端末情報設定方法及び端末情報設定プログラムに関する。
【背景技術】
【０００２】
従来は、端末作業者固有の条件があり、それが作業に大きな影響を与える場合には、個々にそれに対応した作業環境を構築して対応したりしていた。
また作業の仕方そのものに関する指示は書類で行われる場合が多く、作業者の習熟レベルに合わせて指示書を交換する場合や、組立工程のロットや作業の時期によって作業を変更する時の指示書変更などは手作業で行われていた。
【０００３】
ここで、特許文献１にはキーの操作の反応から習熟度を判別する方法を取っている点が開示されている。また、特許文献２には制御ファイルに基づいて、或いは外部の記憶装置に記録されたファイルに基づいて、作業者の習熟度に対応した環境を提供する点が開示されている。
【０００４】
さらに、特許文献３は、「ユーザの特定」、「ユーザに合った環境選定」を簡略化する点が開示されている。また、特許文献４は、「ユーザの状況」を把握し、「ユーザに合った環境」をユーザに提供する点が開示されている。また、特許文献５は、「ユーザが必要なファイルをネットワークを介して自動的にロードする」点が開示されている。
【特許文献１】特開平11-353076号公報
【特許文献２】特開平5-36579号公報
【特許文献３】特開平10-283277号公報
【特許文献４】特開平11-272574号公報
【特許文献５】特開平10-333967号公報
【発明の開示】
【発明が解決しようとする課題】
【０００５】
上述した端末作業者固有の条件が作業に大きな影響を与える場合には、個々にそれに対応した作業環境を構築が難しい場合にはその作業者に環境に順応することを強いるなど、柔軟な対応ができなかった。
また、作業の仕方そのものに関する指示が書類で行われる場合には、作業者の習熟レベルに合わせた指示書の交換や、組立工程のロットや作業の時期によって作業を変更する時の指示書変更などが手作業で行われていたため、勘違いや紛失、交換作業の間違い等が発生する可能性があった。
【０００６】
また、特許文献１ではキーの操作の反応から習熟度を判別する方法を取っているため、最後の業務が終了するまで判別ができないという不都合があった。
また、特許文献２は制御ファイルに基づいて、或いは外部の記憶装置に記録されたファイルに基づいて、作業者の習熟度に対応した環境を提供するため、アクセスが個別対応となり、また、アクセスに時間がかかることから、「リアルタイム」に、「全ての端末」に対して対応することができないという不都合があった。
【０００７】
また、特許文献３は、「ユーザの特定」、「ユーザに合った環境選定」の簡略化するのみであるため、作業を担当するための端末情報に対して対応することができないという不都合があった。
また、特許文献４は、「ユーザの状況」の把握が個別対応となり、また、「ユーザの状況」を把握するために時間がかかることから、「リアルタイム」に、「全ての端末」に対して対応することができないという不都合があった。
また、特許文献５は、「ユーザが必要なファイルをネットワークを介して自動的にダウンロードする」のみであるため、ダウンロードされたファイルのみでは端末に対する設定をすることができないという不都合があった。
【０００８】
そこで、本発明は、端末作業者を識別して、これに対応してネットワークを介して複数の端末のすべてに対して端末のプログラムをリアルタイムで最適な設定状況に自動変更する端末情報設定システム、端末情報設定方法及び端末情報設定プログラムを提供することを目的とするものである。
【課題を解決するための手段】
【０００９】
上記課題を解決し、本発明の目的を達成するため、本発明の端末情報設定システムは、複数の作業者用端末のうちのいずれかの作業者用端末で端末作業者により自分の作業者識別コードが入力され、作業者識別コードが作業者用端末の担当している作業の作業識別コードとともに作業者用端末からネットワーク経由で情報管理コンピュータに送られてきた時点で、情報管理コンピュータは、予め保持している内部のデータベースから作業者識別コードに対応する端末作業者に関する固有情報と、作業識別コードに対応する生産に関する情報及び品質に関する情報を取得し、取得された各情報に基づいて最適な作業者用端末におけるプログラム設定を決定し、作業者用端末のプログラムに対してプログラム設定を指示するものである。
【００１０】
これにより、端末作業者が自分の識別コードを入力した時点で、情報管理コンピュータはネットワーク上のデータベースから「端末作業者の固有情報」と「作業に関わる情報」を取得し、端末プログラムを最適な設定状況に自動変更する。
【００１１】
また、本発明の端末情報設定方法は、複数の作業者用端末のうちのいずれかの作業者用端末で端末作業者により自分の作業者識別コードが入力され、作業者識別コードが作業者用端末の担当している作業の作業識別コードとともに作業者用端末からネットワーク経由で情報管理コンピュータに送られてきた時点で、情報管理コンピュータは、予め保持している内部のデータベースから作業者識別コードに対応する端末作業者に関する固有情報と、作業識別コードに対応する生産に関する情報及び品質に関する情報を取得し、取得された各情報に基づいて最適な作業者用端末におけるプログラム設定を決定し、作業者用端末のプログラムに対してプログラム設定を指示するものである。
【００１２】
これにより、生産ラインにおいて、情報管理コンピュータは、作業者識別コードに対して適正な作業環境の作業者用端末への提供を行い、端末の担当している作業の作業識別コードに対して、生産情報から作業に関する最適な環境の作業者用端末への提供を行い、品質情報から品質に関わる情報の作業者用端末への提供をする。
【００１３】
また、本発明の端末情報設定プログラムは、複数の作業者用端末のうちのいずれかの作業者用端末で端末作業者により自分の作業者識別コードが入力され、作業者識別コードが作業者用端末の担当している作業の作業識別コードとともに作業者用端末からネットワーク経由で情報管理コンピュータに送られてきた時点で、情報管理コンピュータを、予め保持している内部のデータベースから作業者識別コードに対応する端末作業者に関する固有情報と、作業識別コードに対応する生産に関する情報及び品質に関する情報を取得するように機能させ、取得された各情報に基づいて最適な作業者用端末におけるプログラム設定を決定するように機能させ、作業者用端末のプログラムに対してプログラム設定を指示するように機能させるものである。
【００１４】
これにより、端末情報設定プログラムは情報管理コンピュータを、作業者識別コードに対して適正な作業環境の作業者用端末への提供を行うように機能させ、端末の担当している作業の作業識別コードに対して、生産情報から作業に関する最適な環境の作業者用端末への提供を行うように機能させ、品質情報から品質に関わる情報の作業者用端末への提供を行うように機能させる。
【００１５】
従って、例えば、端末作業者が個々に持つ固有の条件（例えば「母国語が日本語ではない。」とか「小さい文字が読みにくい」とか「身体的ハンディキャップがある」など）や、その作業に関わる情報(例えば「初心者は間違いやすい作業である」とか「部品形状が似ていて見間違い易い」など)を情報管理コンピュータは内部のデータベースに蓄積して置き、端末作業者が自分の作業者識別コードを入力した時点で、最適な設定状況(例えば「表示に使う言語に母国語の物があった場合は、それを選択する」、「作業者が初心者の場合、警告表示を出し、指示書を表示させる」など)を決定し、端末のプログラムに設定変更を指示、対応させることで、端末の設定変更を実現させる。
【発明の効果】
【００１６】
本発明により、端末作業者が自分の識別コードを入力した時点で、情報管理コンピュータはネットワーク上のデータベースから「端末作業者の固有情報」と「作業に関わる情報」を取得し、作業者用端末のプログラムを最適な設定状況に自動変更することができるので、端末作業者に最適な環境の作業環境をリアルタイムですべての作業者用端末に供給することができ、作業に関係ないストレスの軽減により作業性の向上を図ることができる。
【００１７】
また、作業者個別に作業者用端末へ最適な指示等を出すことができるため、作業に関する質の向上が期待できる。
さらに、紙中心である指示書をネットワークを介して電子書類による作業者用端末への情報設定をすることで、機密性を保つことができ、誤った情報の伝達(誤った相手へ或いは誤った指示書)を防ぐことができる。
【発明を実施するための最良の形態】
【００１８】
以下に、本発明の実施の形態について、説明する。
本発明による端末情報設定を実現するために用いるシステムの構成について説明する。
図１は端末情報設定を実現するシステムの構成を示す概要図である。
図１において、情報管理コンピュータ２はネットワーク１に接続され、ネットワーク１経由で複数の作業者用端末２１で端末作業者が入力した自分の識別コード(作業者ID)１１と端末自体が担当している作業の作業識別コード(作業ID)を受信する。なお最終的に決定した端末設定情報１２も同様にネットワーク１経由で複数の作業者用端末２１に戻される。
【００１９】
また情報管理コンピュータ２には、作業者固有情報データベース３と生産情報データベース４と品質情報データベース５が接続されており、作業者用端末２１から得られた作業者ID１１と作業IDをキーとして、各データベース３，４，５に対して問い合わせをすることができるように構成されている。
【００２０】
まず、端末作業者は、その作業者用端末２１がある作業場で仕事を始める前に自分の識別コード(作業者ID)を作業者用端末２１に入力する。作業者用端末２１のプログラムは、このコードが入力されると、この作業者のIDと端末自身が担当している作業の作業識別コード(作業ID)を、ネットワーク１経由で情報管理コンピュータ２に送付する。
【００２１】
ここで、情報管理コンピュータ２には端末情報設定プログラムが内蔵されていて、端末情報設定プログラムは情報管理コンピュータ２を以下の各機能が実行可能となるように構成されている。
情報管理コンピュータ１は、作業者ID１１を取得すると、その作業者ID１１をキーとして作業者固有情報データベース３に問い合わせを行い、その結果からその作業者がどのような種類の作業者か把握する機能を有している。
次に、情報管理コンピュータ２は、その作業者の種類を前提に、作業ID１１をキーとして、生産情報データベース４と品質情報データベース５に問い合わせを行う機能を有している。
【００２２】
そして情報管理コンピュータ２は、各データベース３，４，５への問い合わせから得られた情報をベースに、作業者用端末２１のプログラムでの表示の仕方や表示する内容に関して、その作業者に一番適した端末設定情報を構築する機能を有している。
さらに、情報管理コンピュータ２は、最終的に構築された端末設定情報が、情報管理コンピュータ２からネットワーク１を経由して作業者用端末２１に伝送され、作業者用端末２１のプログラムにその設定情報に従って表示内容等を変更させる機能を有している。
また、作業者固有情報データベース３は、情報管理コンピュータ２に接続されていて、内蔵される端末情報設定プログラムにより、作業者ID１１をキーとした情報管理コンピュータ２から問い合わせに対して、記録されている固有情報を提供できるように構成されている。
【００２３】
ここで作業者固有情報データベース３に格納されている端末作業者固有情報について説明する。
図３は、作業者固有情報データベースを示す図である。
図３において、端末作業者固有情報には、少なくとも作業者ID３１、氏名３２、使用言語３３、作業の習熟度３４、表示レベルコード３５が関連付けられて含まれている。また、作業者固有の情報で特に重要な要素について確認することができる「備考」３６が含まれていると尚よい。
「作業者ＩＤ」３１とは、端末作業者がそれぞれ識別できる様に付けられた番号・記号などの識別子である。「氏名」３２とは、関連付けられた端末作業者の氏名である。「使用言語」３３とは、端末で表示される文字や指示書などに使われる言語で、作業者が理解できる言語を言う。「作業の習熟度」３４とは、その作業者の経験の期間を識別できる様に付けられた識別子である。「表示レベルコード」３５とは、この端末作業者が端末を使う際の表示方式を示す識別子である。
【００２４】
また、生産情報データベース４は、情報管理コンピュータ２に接続されていて、内蔵される端末情報設定プログラムにより、作業IDをキーとした情報管理コンピュータ２から問い合わせに対して、記録されている生産情報を提供できるように構成されている。
【００２５】
ここで生産情報データベース４に格納されている生産情報について説明する。
図４は、生産情報データベースを示す図である。
図４において、生産情報には、少なくとも作業ID４１、対応表示言語４２、習熟度毎の指示書４３、対応可能な表示レベルコード４４、作業資料４５が関連付けられて含まれている。また、作業内容が判断出来る「作業内容」４６が含まれていると尚よい。
「作業ID」４１とは、存在する作業を全て列挙して、それぞれの作業が識別できる様に付けられた番号・記号などの識別子である。「作業ID」４１は予め作業を担当する端末に割り当てておいてもよい。「対応表示言語」４２とは、作業に関わる情報の記述がどの言語に対応しているかを示したものである。「習熟度毎の指示書」４３とは、作業者の習熟度をキーとして、それぞれのレベルでの指示書が存在するかを示すために付けられた番号・記号などの識別子である。
【００２６】
「対応可能な表示レベルコード」４４とは、図３に示した作業者固有情報データベース３の「表示レベルコード」３５のどのレベルに対応した表示ができるかを示すために付けられた番号・記号などの識別子である。「作業資料」４５とは、具体的な作業に関わる説明書を言い、最終的にはこの説明書が対象作業者の端末に表示されることになる。実際には「対応表示言語」４２と「対応可能な表示レベルコード」４４を掛け合わせ分の情報が生産情報データベース４に記録されていることになる。
また、品質情報データベース５は、情報管理コンピュータ２に接続されていて、内蔵される端末情報設定プログラムにより、作業IDをキーとした情報管理コンピュータ２から問い合わせに対して、記録されている生産情報を提供できるようになっている。
【００２７】
ここで、品質情報データベース５に格納されている品質情報について説明する。
図５は、品質情報データベースを示す図である。
図５において、品質情報には、少なくとも作業ID５１、有効期間５２、警告の対象者５３、対応表示言語５４、対応可能な表示レベルコード５５、警告の内容５６が関連付けられて含まれている。また、警告の内容５６の源となった問題を確認できる「以前に発生した問題」５７が含まれていると尚よい。
「作業ID」５１とは、存在する作業を全て列挙して、それぞれの作業が識別できる様に付けられた番号・記号などの識別子である。「作業ID」５１は予め作業を担当する端末に割り当てておいてもよい。「有効期間」５２とは、警告が出された場合にその警告がいつまで有効を示したものである。「警告の対象者」５３とは、作業者固有情報データベース３の各項目をベースに、今回の警告が誰宛に出されるべきかを示したものである。
【００２８】
「対応表示言語」５４とは、警告の記述がどの言語に対応しているかを示したものである。「対応可能な表示レベルコード」５５とは、図３に示した作業者固有情報データベース３の「表示レベルコード」３５のどのレベルに対応した表示ができるかを示すために付けられた番号・記号などの識別子である。「警告の内容」５６とは、具体的な警告メッセージを言い、最終的にはこの警告が対象作業者の端末に表示されることになる。なお今回の例では日本語のメッセージのみが表示されているが、実際には「対応表示言語」５４と「対応可能な表示レベルコード」５５を掛け合わせ分の情報が品質情報データベース５に記録されていることになる。
【００２９】
この他、図１においては、情報管理コンピュータ２と作業者固有情報データベース３、生産情報データベース４、品質情報データベース５がリアルタイムにアクセス可能にそれぞれ直結で接続されているように記載されているが、本システムの構成としては、それぞれがネットワーク１上にリアルタイムにアクセス可能に並列に接続されていてもよく、また、情報管理コンピュータ２と作業者固有情報データベース３、生産情報データベース４、品質情報データベース５はそれぞれが、またはすべてが同一のコンピュータの上で実現されていてもよい。
【００３０】
このように構成された端末情報設定を実現するシステムは、以下のような動作をする。
以下に、端末情報設定を実現するシステムにおける情報の流れを説明する。
図２は、情報の流れを示す図である。
ここでは説明の便宜上、あらかじめ作業者固有情報データベースには図３のように、生産情報データベースには図４のように、品質情報データベースには図５のように各項目が記録されているものとして説明する。また全てのデータベースに共通して、一つの項目で複数の情報が入っている場合、先に書かれている情報が優先されることとする。
まず端末作業者は、その作業者用端末２１がある作業場で仕事を始める前に自分の作業者識別コード(作業者ID)を作業者用端末２１に入力する。
【００３１】
図２において、作業者用端末２１のプログラムは、この作業者識別コードが入力されると、この作業者の作業者IDと作業者用端末２１自体が担当している作業の作業識別コード(作業ID)を、ネットワーク１経由で情報管理コンピュータ２に送付する。（図２のステップＴ１参照。以後のステップに関しても全て図２を参照のこと。）
その後情報管理コンピュータ２は、最初に作業者IDをキーとして、作業者固有情報データベース３にアクセスする（ステップＴ２）。それに対し図３に示した作業者固有情報データベース３は、作業者IDに対応する「氏名」３２、「使用言語」３３、「作業の習熟度」３４、「表示レベルコード」３５（表示レベルコード３５の詳細は、図６を参照のこと。）を情報管理コンピュータ２へ返送する（ステップＴ３）。
【００３２】
例えば作業者ID３１が「U0007」だったとすると、図３のように「氏名」３２は「Nguyen」、「使用言語」３３は「ベトナム語、英語」、「作業の習熟度」３４は「初心者」、「表示レベルコード」３５は「１２」が返送される。
これらの情報は全て、一時的に情報管理コンピュータ２のメモリに蓄えられる。
【００３３】
次に情報管理コンピュータ２は、作業IDをキーとして、生産情報データベース４にアクセスする（ステップＴ４）。
それに対し図４に示した生産情報データベース４は、作業IDに対応する「対応表示言語」４２、「習熟度毎の指示書」４３、「対応可能な表示レベルコード」４４、「作業資料」４５を情報管理コンピュータ２へ返送する（ステップＴ５）。
【００３４】
例えば作業ID４１が「P0002」だったとすると、図４のように「対応表示言語」４２は「日本語、英語、中国語、ベトナム語」、「習熟度毎の指示書」４３は「○（あり）」、「対応可能な表示レベルコード」４４は「０１、１１、２１」、「作業資料」４５は記録されている説明書全て(各言語、習熟度毎の指示書、表示レベル)が返送される。
これらの情報も全て一時的に情報管理コンピュータ２のメモリに蓄えられる。
【００３５】
さらに情報管理コンピュータ２は、作業IDをキーとして、品質情報データベース５にアクセスする（ステップＴ６）。
それに対し図５に示した品質情報データベース５は、作業ID５１に対応する「有効期間」５２、「警告の対象者」５３、「対応表示言語」５４、「対応可能な表示レベルコード」５５、「警告の内容」５６を情報管理コンピュータ２へ返送する（ステップＴ７）。
【００３６】
例えば作業ID５１が「P0002」だったとすると、図５のように２行目と６行目の２項目あり、一方が『「有効期間」５２は「現ロット完了まで」、「警告の対象者」５３は「初心者」、「対応表示言語」５４は「日本語、英語、中国語」、「対応可能な表示レベルコード」５５は「０１、１１、２１」、「警告の内容」５６は「無鉛ハンダへの切り替わり作業前にハンダを確認」』、もう一方は『「有効期間」５２は「なし、常に表示」、「警告の対象者」５３は「指導者以外」、「対応表示言語」５４は「日本語、英語」、「対応可能な表示レベルコード」５５は「０１、１１」、「警告の内容」５６は「カバーのツメ破損注意」』が返送される。
これらの情報も全て一時的に情報管理コンピュータ２のメモリに蓄えられる。
【００３７】
全ての情報が出そろった時点で、情報管理コンピュータ２はそれぞれの情報の関連を調査し、最適な端末設定情報１２を生成する。
具体的に説明すると、まず図４の生産情報データベース４の「対応表示言語」４２に注目する。図３の作業者固有情報データベース３から作業者ID３１の「U0007」は、「使用言語」３３が「ベトナム語、英語」ということがわかる。
一方で、図４の生産情報データベース４の作業者ID４１の「P0002」の項では、「対応表示言語」４２は「日本語、英語、中国語、ベトナム語」ということがわかっているので、「ベトナム語」が選択されることになる。
【００３８】
次に図３の「作業の習熟度」３４は「初心者」ということがわかっているおり、この図４の指示書には「習熟度毎の指示書」４３が存在するので、「ベトナム語」の「初心者用指示書」が選択されることになる。
また、図３の「表示レベルコード」３５は「１２」ということがわかっているが、この図４の指示書の「対応可能な表示レベルコード」４４には「１２」が存在しないので、「０１」の「一般の人向け表示」(図６参照)が選択されることになる。
図６は、表示レベルコードの説明を示す図である。
図６において、表示レベルコード６１に対応する対象者６２及び対象者の人への対策内容６３が説明されている。ここでは、表示レベルコード６１の「０１」に対応する対象者６２は「一般の人向け」及び対象者の人への対策内容６３はない。
【００３９】
そして品質情報データベース５でも同様に検討する。
図５において作業ID５１が「P0002」をキーとすると、２行目と６行目の項目が関係することがわかる。
まず、最初に図５の「警告の対象者」５３に注目する。２行目はこの警告の対象者５３が「初心者」、６行目は「指導者以外」であるから、今回の図３の作業者ID３１の「U0007」は「作業の習熟度」３４は「初心者」なので、両方の項目の対象者であることがわかる。
それ以降は図４の生産情報データベース４の場合と同様に図５の「対応表示言語」５４は「英語」が、「対応可能な表示レベルコード」５５は「０１」が選ばれることになる。
【００４０】
以上の端末設定情報の生成過程から 、図５の指示書の言語は「ベトナム語」で「初心者用指示書」、表示方法は「一般の人向け表示」となり、警告は２行目と６行目の項目の２種類で言語は「英語」、表示方法は「一般の人向け表示」となる。
これらの端末設定情報１２は情報管理コンピュータ２へ作業者識別コード１１を送ってきた作業者用端末２１に返送され、作業者用端末２１のプログラムは端末設定情報１２の指示通りの設定に変更する。
【００４１】
上述した本実施の形態に限らず、本発明の特許請求の範囲内であれば、適宜、その構成を変更しうることは言うまでもない。
【図面の簡単な説明】
【００４２】
【図１】本発明による端末情報設定を実現のためのシステムの構成を示す図である。
【図２】情報の流れを示す図である。
【図３】作業者固有情報データベースを示す図である。
【図４】生産情報データベースを示す図である。
【図５】品質情報データベースを示す図である。
【図６】表示レベルコードの説明を示す図である。
【符号の説明】
【００４３】
１…ネットワーク、２…情報管理コンピュータ、３…作業者固有情報データベース、４…生産情報データベース、５…品質情報データベース、１１…作業者識別コード(作業者ID)、２１…作業者用端末
【図１】
2006285625.tif 000003
【図２】
2006285625.tif 000004
【図３】
2006285625.tif 000005
【図４】
2006285625.tif 000006
【図５】
2006285625.tif 000007
【図６】
2006285625.tif 000008